(57)【要約】【課題】  確実な配線接続を保持し、かつ高能率の組立て、配線作業を行うことのできる配電盤装置及びその外部接続方法を提供する。【解決手段】  ケース体の離隔対向２側面にそれぞれ基盤部を配置して立体配線した配電盤装置であり、ケース体内の複数層に個別着脱可能に設置され各基盤部を複数層に共通分割する複数個の分割モジュールを含む。分割モジュールは、複数の電気部品や電気機器を搭載した複数の縦パネルを間隙を開けて縦平行に対向配置し相互に連結した配線架台であって縦パネルの電気部品や電気機器を同縦パネル間においてあらかじめ配線接続する配線架台を備え、配線架台の両端側の縦パネルをそれぞれケース体の対向２側面の分割基盤部として配設する。電気部品の実装、配線の正確性、組み付け作業性を向上させる。【選択図】図３
2009153327.tif 000002
【特許請求の範囲】
【請求項１】
ケース体の離隔対向２側面にそれぞれ基盤部を配置して立体配線した配電盤装置であり、
ケース体内の複数層に個別着脱可能に設置され各基盤部を複数層に共通分割する複数個の分割モジュールを含み、
該分割モジュールは、
複数の電気部品や電気機器を搭載した複数の縦パネルを間隙を開けて縦平行に対向配置し相互に連結した配線架台であって縦パネルの電気部品や電気機器を同縦パネル間においてあらかじめ配線接続する配線架台を備え、
配線架台の両端側の縦パネルをそれぞれケース体の対向２側面の分割基盤部として配設することを特徴とする配電盤装置。
【請求項２】
ケース体の離隔対向２側面にそれぞれ基盤部を配置して立体配線した配電盤装置であり、
ケース体内の上下複数層に個別着脱可能に設置され各基盤部を上下複数に共通分割する複数個の分割モジュールを含み、
該分割モジュールは、
複数の電気部品や電気機器を搭載した複数の縦パネルを間隙を開けて縦平行に対向配置し相互に連結した配線架台であって縦パネルの電気部品や電気機器を同縦パネル間においてあらかじめ配線接続する配線架台を備え、
配線架台の両端側の縦パネルをそれぞれケース体の対向２側面の分割基盤部として配設することを特徴とする配電盤装置。
【請求項３】
配線架台の縦パネルは相互に下端側でのみ連結され、相互の間隙の上方及び側方を開放して設けられた平行縦板構造体からなる請求項１または２記載の配電盤装置。
【請求項４】
複数層に配置される各々の配線架台をケース体に対して個別に挿入取出し自在にスライド挿入するスライド着脱機構が設けられていることを特徴とする請求項１ないし３のいずれかに記載の配電盤装置。
【請求項５】
複数の配線架台は、同配線架台がケース体内に上下に収容配置された際に上下に連続する切欠部を有していることを特徴とする請求項２記載の配電盤装置。
【請求項６】
請求項１ないし請求項５のいずれかに記載の配電盤装置に用いられる配線架台。
【請求項７】
ケース体の離隔対向２側面にそれぞれ基盤部を配置して立体配線した配電盤装置であり、
間隙を開けて縦平行に連結した複数の縦パネルに電気部品や電気機器を搭載し外部接続端子を有した配電盤装置の電気接続モジュールであって、該電気接続モジュールの縦パネルどうしの電気部品や電気機器間を予め配線接続する工程と、
配線接続した電気接続モジュールをケース体内に複数層状に着脱収容する工程と、
外部接続端子を外部接続する工程と、を含むことを特徴とする配電盤装置の外部接続方法。
【発明の詳細な説明】
【技術分野】
【０００１】
本発明は、配電盤装置に係り、特にケース体を利用して立体配線する配電盤装置及びその外部接続方法に関する。
【背景技術】
【０００２】
従来、ケース体を用いた配電盤として特許文献１の装置が提案されている。この特許文献１の装置は、直方体状の筐体の一側面側の両隅部に直立形の金属製配線用主ダクトを配置し、両主ダクトの間に多段に電気器具等の取り付けレールと、配線用副ダクトを横向きで交互配置した構造であり、これによって筐体の強度保持、盤内での発熱消散、配線処理の作業性向上などを企図したものである。
【０００３】
【特許文献１】特開平５−２８４６１３号（特許請求の範囲、図１〜図４）
【発明の開示】
【発明が解決しようとする課題】
【０００４】
一方、近時の製造工場やその他の施設などではますます多くの電気設備、電気装置、電気機器の使用が必要となり、その電力線供給用の配電や制御などに多種類かつ複雑な配線が必要となっている。この場合、例えば図１５に示すように、筐体の対向２面を用いてそれぞれの側面に電気機器や電気部品８０２を取り付けた基盤８００を向かい合わせに設置し、この状態で配線することが考えられる。しかしながら、この方法では直立型主ダクト８０４と、対向する基盤８００，８００間の電気配線のための副ダクト８０６と、を設置し、これらのダクト内を通して配線作業を行う必要がある。このため、配線用の電線コネクタの端子の確認や対向する基盤間の接続間違いを防止するために専ら一人の作業者による単独作業により接続作業を行わざるを得なかった。このため、配電盤の接続、設置作業が煩雑である上に、両盤面での複雑な電気配線のチェックが必要であり、よって、その作業時間がかかり、作業効率が低いという問題があった。また、単独作業のため、配線コネクタの接続間違いのおそれがあった。
【０００５】
本発明は、上記従来の課題に鑑みてなされたものであり、その１つの目的は、盤内での発熱を防止し充分な強度を保持するケース体を用いて電気機器等の確実な配線接続を保持し、かつ高能率の組立て、配線作業を行うことのできる配電盤装置及びその外部接続方法を提供することにある。
【課題を解決するための手段】
【０００６】
上記の目的を達成するために、本発明は、ケース体１２の離隔対向２側面にそれぞれ基盤部１４，１６を配置して立体配線した配電盤装置であり、ケース体１２内の複数層に個別着脱可能に設置され各基盤部１４，１６を複数層に共通分割する複数個の分割モジュール１８（１８Ａ、１８Ｂ、１８Ｃ）を含み、該分割モジュールは、複数の電気部品や電気機器１９を搭載した複数の縦パネル２０（２０−１、２０−２）を間隙Ｓを開けて縦平行に対向配置し相互に連結した配線架台３０であって縦パネルの電気部品や電気機器１９を同縦パネル間においてあらかじめ配線接続する配線架台３０を備え、配線架台３０の両端側の縦パネル２０−１、２０−２をそれぞれケース体の対向２側面の分割基盤部１７（１７Ａ−１、１７Ｂ−１、１７Ｃ−１）、（１７Ａ−２、１７Ｂ−２、１７Ｃ−２）として配設することを特徴とする配電盤装置１０−２から構成される。また、本発明は、ケース体１２の離隔対向２側面にそれぞれ基盤部１４，１６を配置して立体配線した配電盤装置であり、ケース体１２内の上下複数層に個別着脱可能に設置され各基盤部１４，１６を上下複数に共通分割する複数個の分割モジュール１８（１８Ａ、１８Ｂ、１８Ｃ）を含み、該分割モジュールは、複数の電気部品や電気機器１９を搭載した複数の縦パネル２０（２０−１、２０−２）を間隙Ｓを開けて縦平行に対向配置し相互に連結した配線架台３０であって縦パネルの電気部品や電気機器１９を同縦パネル間においてあらかじめ配線接続する配線架台３０を備え、配線架台３０の両端側の縦パネル２０−１、２０−２をそれぞれケース体の対向２側面の分割基盤部１７（１７Ａ−１、１７Ｂ−１、１７Ｃ−１）、（１７Ａ−２、１７Ｂ−２、１７Ｃ−２）として配設することを特徴とする配電盤装置１０から構成される。本発明は、ケース体内に複数個の分割モジュールを収容する収容部を設け、これらの収容部に予め配線架台により立体配線した分割モジュールを着脱自在に収容してケース体全体の立体配線構成とする配電盤装置であり、配線架台による立体配線をいわば分割された部分立体配線とし、それらの配線架台をケース体内に収容して全体立体配線とした配電盤装置とするものである。ケース体内に配線架台を収容するに先立って、予め各配線架台に電気機器や部品等を実装し、さらに配線を行っておく。この作業は設計にしたがって、個別に異なる作業者が行うこともできる。そして、実装、配線が完了した配線架台を各収容位置に収容し、両端側の縦パネルをそれぞれケース体の対向２側面の基盤部に対応して配置し固定するだけで配電盤装置の製造、組付が完成する。ケース体内の複数層、あるいは複数段の収容部構成は縦形ケース体を上下複数段に分割あるいは横形ケース体を複数並列状に分割する構成でもよい。ケース体の外形形状は直方体状に限らず円筒、その他の多角筒状でもよい。
【０００７】
その際、配線架台３０の縦パネル２０（２０−１、２０−２）は相互に下端側でのみ連結され、相互の間隙Ｓの上方及び側方を開放して設けられた平行縦板構造体からなるようにするとよい。間隙を開けて縦平行に対向配置した複数の縦パネルを備えてそれらを相互に連結する構成は、ロッドにより複数の縦パネルを串刺し状に貫通して固定したり、該ロッドを軸として軸回りにそれぞれの縦パネルが回動するような構成としても良い。配線架台は強度の点で金属製であるのが好ましいが、耐熱合成樹脂などで構成することもできる。
【０００８】
また、複数層に配置される各々の配線架台３０をケース体１２に対して個別に挿入取出し自在にスライド挿入するスライド着脱機構２８を設けるとなおよい。
【０００９】
さらに、複数の配線架台３０は、同配線架台がケース体１２内に上下に収容配置された際に上下に連続する切欠部３４を有するようにすることもできる。
【００１０】
また、本発明は、上記の配電盤装置に用いられる配線架台３０から構成される。
【００１１】
さらに、本発明は、ケース体の離隔対向２側面にそれぞれ基盤部を配置して立体配線した配電盤装置であり、間隙を開けて縦平行に連結した複数の縦パネルに電気部品や電気機器を搭載し外部接続端子を有した配電盤装置の電気接続モジュールであって、該電気接続モジュールの縦パネルどうしの電気部品や電気機器間を予め配線接続する工程と、配線接続した電気接続モジュールをケース体内に複数層状に着脱収容する工程と、外部接続端子を外部接続する工程と、を含むことを特徴とする配電盤装置の外部接続方法から構成される。
【発明の効果】
【００１２】
本発明の配電盤装置によれば、ケース体の離隔対向２側面にそれぞれ基盤部を配置して立体配線した配電盤装置であり、ケース体内の複数層に個別着脱可能に設置され各基盤部を複数層に共通分割する複数個の分割モジュールを含み、該分割モジュールは、複数の電気部品や電気機器を搭載した複数の縦パネルを間隙を開けて縦平行に対向配置し相互に連結した配線架台であって縦パネルの電気部品や電気機器を同縦パネル間においてあらかじめ配線接続する配線架台を備え、配線架台の両端側の縦パネルをそれぞれケース体の対向２側面の分割基盤部として配設する構成であるから、（１）予め電気部品等の実装及び配線接続作業、配線架台のケース体への収容接続作業を複数の作業者で行うことができ、装置の組み付け製造時間の大幅短縮、コスト削減を行うことができる。（２）間隙を開けて縦平行に対向配置した複数の縦パネルによる電気機器、電気部品の実装はモジュール化されて小型となるから作業者が扱いやすく作業しやすい上に、縦パネル間の１対１の接続端子の確認が容易でしかも直線状に配線できるから間違いにくく正確な組み付け作業を短時間で行える。（３）ケース体の対向２側面を利用した立体配線であるから実装部品を多くでき、しかも中間の中空部分により発熱が少なくより高度で複雑な配電盤構成とする場合にも容易に対応可能である。（４）配線架台による縦パネル間の直線状配線とするから、配線ダクト並びにその際のラインの取り回し、ダクト内収容、閉蓋作業等を不要とし、ラインの有効適用、装置の組み付け製造作業の時間短縮、低廉なコスト維持に資することができる。
【００１３】
また、本発明の配電盤装置によれば、ケース体の離隔対向２側面にそれぞれ基盤部を配置して立体配線した配電盤装置であり、ケース体内の上下複数層に個別着脱可能に設置され各基盤部を上下複数に共通分割する複数個の分割モジュールを含み、該分割モジュールは、複数の電気部品や電気機器を搭載した複数の縦パネルを間隙を開けて縦平行に対向配置し相互に連結した配線架台であって縦パネルの電気部品や電気機器を同縦パネル間においてあらかじめ配線接続する配線架台を備え、配線架台の両端側の縦パネルをそれぞれケース体の対向２側面の分割基盤部として配設する構成であるから、（１）予め電気部品等の実装及び配線接続作業、配線架台のケース体への収容接続作業を複数の作業者で行うことができ、装置の組み付け製造時間の大幅短縮、コスト削減を行うことができる。（２）間隙を開けて縦平行に対向配置した複数の縦パネルによる電気機器、電気部品の実装はモジュール化されて小型となるから作業者が扱いやすく作業しやすい上に、縦パネル間の１対１の接続端子の確認が容易でしかも直線状に配線できるから間違いにくく正確な組み付け作業を短時間で行える。（３）ケース体の対向２側面を利用した立体配線であるから実装部品を多くでき、しかも中間の中空部分により発熱が少なくより高度で複雑な配電盤構成とする場合にも容易に対応可能である。（４）配線架台による縦パネル間の直線状配線とするから、配線ダクト並びにその際のラインの取り回し、ダクト内収容、閉蓋作業等を不要とし、ラインの有効適用、装置の組み付け製造作業の時間短縮、低廉なコスト維持に資することができる。
【００１４】
また、配線架台の縦パネルは相互に下端側でのみ連結され、相互の間隙の上方及び側方を開放して設けられた平行縦板構造体からなる構成であるから、作業者が具体的に手作業により縦パネルへの電気機器、部品等の実装、配線を行う際に、配線コネクタや端子の確認が容易であり、作業時間短縮、作業効率化を達成しうる。
【００１５】
また、複数層に配置される各々の配線架台をケース体に対して個別に挿入取出し自在にスライド挿入するスライド着脱機構が設けられている構成とすることにより、ケース体への配線架台の着脱、特に挿入収容作業が容易であり、装置の製造、組み付け作業効率の向上に資する。
【００１６】
また、複数の配線架台は、同配線架台がケース体内に上下に収容配置された際に上下に連続する切欠部を有している構成であるから、電力供給線等の大径のラインを装置内に引き込む等の用途の場合に、充分な補助パネルの大きさを確保でき、具体的なケース体への収容組み付け作業を円滑に行わせることができる。
【００１７】
また、本発明の配電盤装置の外部接続方法によれば、ケース体の離隔対向２側面にそれぞれ基盤部を配置して立体配線した配電盤装置であり、間隙を開けて縦平行に連結した複数の縦パネルに電気部品や電気機器を搭載し外部接続端子を有した配電盤装置の電気接続モジュールであって、該電気接続モジュールの縦パネルどうしの電気部品や電気機器間を予め配線接続する工程と、配線接続した電気接続モジュールをケース体内に複数層状に着脱収容する工程と、外部接続端子を外部接続する工程と、を含む構成であるから、装置の組み付け製造時間の大幅短縮、コスト削減の達成、正確な組み付け作業の短時間での実行、実装部品の多種、多量化、ラインの有効適用、装置の組み付け製造作業の時間短縮、低廉なコスト維持を実現することができる。
【発明を実施するための最良の形態】
【００１８】
以下、添付図面を参照しつつ本発明を実施するための最良の形態について説明する。本発明は、配電盤装置及びその外部接続方法に関するものであるが、ここで配電盤装置はいわゆる制御盤あるいは分電盤を含む広い範囲の電気機器集合体を含む。  
【００１９】
図１ないし図１０は、本発明の配電盤装置１０の実施形態を示しており、実施形態の配電盤装置１０は、図３に示すように、ケース体１２に設置し、その複数の側面部分に電機機器や部品を搭載した基盤を設置してそれら基盤間の電気配線を行って全体としての配電盤装置の機能を行わせるようにした立体配線型の配電盤装置である。実施形態において、図３に示すようにケース体１２の離隔対向２側面を用いて第１、第２基盤部１４，１６が配設される。
【００２０】
図１，２，３において、配電盤装置１０は、ケース体１２内に上下複数層に着脱装着される複数個の分割モジュール１８（１８Ａ、１８Ｂ、１８Ｃ）を含む。各分割モジュール１８は、電気部品や電気機器１９を搭載した複数の縦パネル２０（２０Ａ−１、２０Ａ−２、２０Ｂ−１、２０−Ｂ２、２０Ｃ−１、２０Ｃ−２）を備えており、それぞれの分割モジュールの１つの縦パネル２０（２０Ａ−１、２０Ｂ−１、２０Ｃ−１）が第１、第２のいずれかの基盤部に対応して配置されるとともに、他の縦パネル（２０Ａ−２、２０−Ｂ２、２０Ｃ−２）が対向する側の基盤部に対応して配置される。
【００２１】
ケース体１２は、例えば金属製、その他の剛性素材から構成され本実施形態では立形直方体形状で構成されている。ケース体１２は、４つの側面のうち対向する２つの側面に第１基盤部１４と、第２基盤部１６がそれぞれの側面全体について配置され、それぞれの面は扉２１、２２が開閉自在に設けられてそれぞれの基盤面の表面側を覆っている。ケース体１２の他の対向する２つの側面は縦長四角形状に大きく打抜いた抜き窓部２３，２４が設けられ、分割モジュール１８の設置や保守等を行いやすくし、また、これを通じて発生熱を逃がすようにしている。
【００２２】
ケース体１２の内部には、アングル部材からなる複数の受け棚２６がケース体内を上下に３分割するように水平方向に取り付けられている。それぞれの受け棚２６は分割モジュール１８を収容する収容空間の仕切り棚であり、これらの受け棚２６に例えば第１基盤部１４が配置される側のケース体の側面からスライド自在に各分割モジュール１８が挿入されて図１，２に示すように上下３段に収容される。受け棚２６には図示しないビス通し孔が設けられており、挿入して正しい設置位置でビス通し孔に位置合わせした状態で各分割モジュールが固定される。受け棚２６は各分割モジュールの摺動隅部とともにスライド着脱機構２８を構成する。
【００２３】
図３、図７において、各分割モジュール１８Ａ、１８Ｂ、１８Ｃは、ケース体１２内において上下複数層に個別着脱可能に設置されて各基盤部１４，１６を上下複数に共通分割する立体配線装置の上下方向分割の分割基盤単位であり、それぞれ同様の形状、構造からなる配線架台３０を備えている。配線架台３０は、図に示すように、それぞれ第１、第２基盤部側に配置される複数の縦パネル２０を平行に連結し、それらの縦パネルに搭載した電気機器や電気部品等どうしを予め配線接続する、立体配線の分割基盤架台であり、実施形態において、第１基盤部１４側に対応する第１縦パネル２０−１と、第１縦パネル２０−１に面を平行とするように配置され第２基盤部１６側に対応する第２縦パネル２０−２と、を含む。
【００２４】
縦パネル２０は、立てられて横方向に面を向けたパネル面全体を利用して開閉器、過電流遮断器、計器、リレー、制御用電子基盤、その他の複数の電気部品や電気機器１９を搭載しており、それらの機器は外部の例えばサーボ機構、モータ、シリンダ装置その他の生産設備用機器に電気接続される。配線架台３０は、複数の縦パネル２０を平行に連結した構造体として構成しており、これによって、図４，９，１０のように、単一の配線架台について対面する縦パネル間の電気部品や電気機器１９の配線Ｌの接続をケース体１２に収容させるのに先立って予め行える。この際、縦パネル間の配線は直線的に配線でき、接続端子どうしの１対１の対応が取れやすく誤接続が生じにくいとともに、配線長さの無駄がない。なお、第１、第２の縦パネル２０はそれぞれ両幅端部を直角状に曲げてフランジ部を形成しており、このフランジ部が配線架台全体の強度保持、ケース体１２内での収容位置決め、ケース体への取り付け板として機能する。実施形態において、配線架台３０の平面視四角形の１つの隅部と底部にかけて切欠部が形成されており、第１縦パネル２０−１は、第２縦パネル２０−２よりも短い長さで形成されている。
【００２５】
さらに、本実施形態において、配線架台３０の縦パネル２０は相互に下端側でのみ連結され、相互の間隙の上方及び側方を開放して設けられた平行縦板構造体から形成されている。すなわち、図３，４，７〜１０に示すように、配線架台３０は具体的には、それぞれ２つの平行縦パネル２０−１，２０−２と、それらの下端側どうしを連結する連結板３２と、により側面視上向き開放のコ字状（あるいは凹状）で形成された立体剛性構造としての平行縦板構造体である。各縦パネル相互の間隙Ｓの上方及び側方を開放しているので、各配線架台ごとにパネル間の配線接続を行う際に手作業を行いやすく、コネクタの接続状態を容易に視認できる。また、ケース体の抜き窓部２３，２４を介して設置後の保守、点検を円滑に行える。なお、本実施形態では、この連結板３２は切欠部により第１縦パネル２０−１と同じ幅の板体で第２縦パネル側に伸びて連結されている。
【００２６】
本実施形態において、配線架台３０の全部には、同配線架台がケース体内に上下に収容配置された際に上下に連続する切欠部３４が設けられている。したがって、配線架台３０は、平面視では四角形の１つの隅部を含む正方形状の切欠きで切りかかれた形状で構成されている。切欠部３４は一部の配線架台について設けるようにしても良い。図３、図１０に示すように切欠部３４は、縦長平板状の補助パネル３６取り付け用の収容取付部を確保するためのものであり、必要に応じて設けられる。実施形態において、補助パネル３６は、例えば配電盤側に供給される電力の供給ケーブル５２を引き込むための径の大きな電線の取り回し用のパネルであり、比較的大型の電力供給、遮断用ブレーカ５４などが搭載されている。
【００２７】
そして、それぞれの分割モジュールの第１縦パネル２０Ａ−１、２０Ｂ−１、２０Ｃ−１が第１基盤部１４側に対応して配置され、第２縦パネル２０Ａ−２、２０Ｂ−２、２０Ｃ−２が第２基盤部１６側に対応して配置される。ここにおいて、分割モジュールごとに第１、第２基盤部をそれぞれ共通分割した分割基盤部（１７Ａ−１、１７Ｂ−１、１７Ｃ−１）、（１７Ａ−２、１７Ｂ−２、１７Ｃ−２）が形成され、これらの立体配線による配電盤構成で外部接続される。
【００２８】
次に、本実施形態の配電盤装置１０の製造、組み付け操作について説明すると、予め各配線架台３０について配電盤の設計にしたがって、縦パネル２０へ電気部品や電気機器１９を実装する。さらに、対向する縦パネル２０−１、２０−２間の電気配線接続を行う。この際、対向する電気部品等の端子間を直線状に配線し１対１の対応で正確に接続作業を行えるばかりでなく、短時間で行える。さらに、この配線架台３０への電気部品や電気機器１９の実装及び縦パネル２０−１、２０−２間の電気配線接続作業は設計指示書などを見ながら複数の作業者がそれぞれ同時平行して行える。各配線架台への配線作業が終了すれば、それぞれの架台を上下三層の収容部を形成させる受け棚２６でスライドさせながら軽易な労力で正しい収容位置に収容させる。この際、対向２側面に配置した各基盤部に対応して正しい接続となるようにいずれかの縦パネルを配置させて、それぞれ分割基盤部を形成するように収容させる。そして、適宜の例えば着脱可能な固定手段により固定する。この後、背面側の端子群の各外部接続端子３８を外部の機器に接続させる。これによって、配線架台３０の両端側の縦パネル２０−１，２０−２を含む複数の分割モジュール１８を、それぞれケース体１２の対向２側面の第１、第２基盤部１４，１６の分割基盤部１７Ａ、１７Ｂ、１７Ｃとして構成し、短時間で、正確な配電盤の実装、配線作業を完了することとなる。
【００２９】
図１１ないし図１３は、配線架台３０の他の形態を示しており、図１１は、平行縦パネル２０の形状、サイズが同じで底部の連結板も両縦パネルの長さと同じ長さで所要の間隙を開けた配線架台を示している。また、図１２は、平行縦パネルは３個設けてあり、端部側の１個の縦パネルのみの長さを長くしたタイプ、図１３は、平行縦パネルは４個設けてあり、端部側の２個の縦パネルは他の２個の縦パネルの長さよりも長い矩形状のパネル形状であり、それぞれ下端部が連結板で連結されて一体化されている。配線架台の具体的なタイプはいずれのものを選択することもでき、さらに、縦パネルの個数、具体的な形状、大きさも適宜任意に設定することができる。
【００３０】
以上のように、本実施形態では、電気部品や電気機器を実装する複数平行の連結縦パネルについて予め配線接続したものをケース体内に上下複数層に収容してそれぞれ共通分割した分割基盤部から外部接続する構成としているが、ケース体内を上下複数層に収容するもののみに限らず、図１４のように、横方向に複数層に共通分割して組み付けるようにしてもよいことは言うまでもない。この場合についても、立体配線による熱の分散、実装部品の数や種類の増加、実装作業、配線作業の分業化、配線作業の正確さの確保を得ることができる。また、縦パネル間の間隙Ｓの上方及び側方を開放しているので、作業時の端子部分へのアクセスがしやすく目視も簡単である。さらに２つのパネルに分担して取り付け、配線する立体的な配線により多くの部品を実装できる。
【００３１】
本発明の配電盤装置は、上記した実施形態に限定されるものではなく、本発明の特許請求の範囲を逸脱しない範囲において、任意の改変を行っても本発明に含まれる。
【産業上の利用可能性】
【００３２】
本発明の配電盤装置、配線架台、配電盤装置の外部接続方法は、いわゆる配電盤のみに限らず、制御装置を搭載したいわゆる制御盤あるいは分電盤を含む広い範囲の電気機器集合体の装置において、有効に適用可能である。
【図面の簡単な説明】
【００３３】
【図１】本発明の実施形態に係る配電盤装置の正面イメージ図である。
【図２】図１の配電盤装置の背面イメージ図である。
【図３】本発明の実施形態に係る配電盤装置の分解斜視図である。
【図４】図３の配電盤装置の組み付け完了状態の側面図である。
【図５】図３の配電盤装置の組み付け完了状態で扉を外した状態の第１基盤部側から見た正面図である。
【図６】図３の配電盤装置の組み付け完了状態で扉を外した状態の第２基盤部側から見た背面図である。
【図７】配線架台の表面斜め方向から見た斜視図である。
【図８】図７の配線架台を背面斜め方向から見た斜視図である。
【図９】配線架台に配線した状態の側面図である。
【図１０】図９の配線架台の平面図である。
【図１１】配線架台の他のタイプを示す概略斜視図である。
【図１２】配線架台の他のタイプを示す概略斜視図である。
【図１３】配線架台の他のタイプを示す概略斜視図である。
【図１４】本発明の他の実施形態に係る配電盤装置の正面イメージ図である。
【図１５】本実施形態の配電盤装置の１つのイメージ図である。
【符号の説明】
【００３４】
１０  配電盤装置
１２  ケース体
１４  第１基盤部
１６  第２基盤部
１７  熱作用装置
１８  分割モジュール
１９  電気部品等
２０  縦パネル
２６  受け棚
２８  スライド着脱機構
３０  配線架台
３２  連結板
３４  切欠部
３８  外部接続端子
Ｌ  配線
Ｓ  縦パネル相互の間隙
【図１】
2009153327.tif 000003
【図２】
2009153327.tif 000004
【図３】
2009153327.tif 000005
【図４】
2009153327.tif 000006
【図５】
2009153327.tif 000007
【図６】
2009153327.tif 000008
【図７】
2009153327.tif 000009
【図８】
2009153327.tif 000010
【図９】
2009153327.tif 000011
【図１０】
2009153327.tif 000012
【図１１】
2009153327.tif 000013
【図１２】
2009153327.tif 000014
【図１３】
2009153327.tif 000015
【図１４】
2009153327.tif 000016
【図１５】
2009153327.tif 000017